(57)【要約】【課題】インピーダンス整合を迅速に行なうことができる整合器を提供する。【解決手段】  整合器２０は、無線機１０と複数のＨＦアンテナＡ〜Ｎの間でインピーダンス整合を行なう。前置整合回路２３の回路定数は、複数のＨＦアンテナＡ〜Ｎそれぞれに対応して設定されている。順番テーブル２７には、前置整合回路２３における回路定数の設定順序を記憶している。整合処理部３０は、順番テーブル２７に記憶された順序に従って、前置整合回路２３の回路定数を設定し、整合動作を行なう。テーブル書き換え部３１は、整合処理部３０によって実行されたインピーダンス整合の結果に基づいて、順番テーブル２７に記憶される回路定数の設定順序を変更する。【選択図】      図１
2011130372.tif 000002
【特許請求の範囲】
【請求項１】
送信部と複数の受信部との間でインピーダンス整合を行なう整合回路であって、前記複数の受信部それぞれに対応して回路定数が設定される整合回路と、
前記整合回路において前記回路定数が設定される順序を記憶する記憶手段と、
前記記憶手段に記憶された順序に従って、前記整合回路の回路定数を設定する回路制御手段と、
前記整合回路におけるインピーダンス整合の結果に基づいて、前記記憶手段に記憶される前記回路定数の設定順序を変更する記憶部制御手段と、
を具備することを特徴とする整合器。
【発明の詳細な説明】
【技術分野】
【０００１】
本発明は、インピーダンス整合を行なう整合器に関する。
【背景技術】
【０００２】
高周波回路では、信号源の電力を効率よく伝送するため、伝送線路や負荷の端部あるいは境界部で反射が最小となるように、インピーダンス整合を行なう必要がある。例えば無線送受信機と空中線（アンテナ）を用いて無線通信を行う無線通信装置では、アンテナと無線送受信機との間で伝送損失を最小にし、またインピーダンス整合により反射損失を低減させる必要がある。
【０００３】
一般に、無線通信装置では、無線機とアンテナとの間に整合器を備えて、当該整合器により無線機とアンテナとのインピーダンス整合を取ることが行われている。特許文献１に記載には、コンデンサ及びコイルからなり、整合動作に際して、コイル（インダクタ）のインダクタンス値やコンデンサの容量値を可変するシーケンスを２分岐探索のみで行なう整合器が記載されている。
【先行技術文献】
【特許文献】
【０００４】
【特許文献１】特開２００６−３１４０１２号公報（段落００４６、図６）
【発明の概要】
【発明が解決しようとする課題】
【０００５】
無線通信装置には、複数のアンテナが備えられていることがある。このような無線通信装置では、周波数及びアンテナ毎にアンテナインピーダンスが異なる。このため、周波数及びアンテナ毎に異なった整合回路でインピーダンス整合を行なう必要がある。特に、使用中のアンテナを切り替える際にアンテナ切り替え信号が与えられない場合、例えば上述の整合器等では、インピーダンス整合に時間がかかってしまっていた。
【０００６】
本発明は、前記のような問題に鑑みなされたもので、インピーダンス整合を迅速に行なうことができる整合器を提供することを目的とする。
【課題を解決するための手段】
【０００７】
本発明の一実施形態に係る整合器は、送信部と複数の受信部との間でインピーダンス整合を行なう整合回路であって、前記複数の受信部それぞれに対応して回路定数が設定される整合回路と、前記整合回路において前記回路定数が設定される順序を記憶する記憶手段と、前記記憶手段に記憶された順序に従って、前記整合回路の回路定数を設定する回路制御手段と、前記整合回路におけるインピーダンス整合の結果に基づいて、前記記憶手段に記憶される前記回路定数の設定順序を変更する記憶部制御手段とを具備する。
【発明の効果】
【０００８】
本発明の一実施形態に係る整合器によれば、整合回路におけるインピーダンス整合の結果に基づいて設定された順序に従って、当該整合回路の回路定数が設定される。従って、整合動作を迅速に行なうことが可能となる。
【図面の簡単な説明】
【０００９】
【図１】本発明の一実施形態に係る無線通信装置を示すブロック図。
【図２】本発明の一実施形態に係る整合回路に用いられるＬ型整合回路の一例を示す図。
【図３】本発明の一実施形態に係る整合回路に用いられるＬ型整合回路の他の一例を示す図。
【図４】本発明の一実施形態に係る前置整合回路に用いられる回路素子の一例を示す図。
【図５】本発明の一実施形態に係る前置整合回路に用いられる回路素子の他の一例を示す図。
【図６】インピーダンス整合処理を示すフローチャート。
【図７】整合動作の詳細を示すフローチャート。
【図８】書き換え前の順番テーブルの記憶内容の一例を示す図。
【図９】書き換え後の順番テーブルの記憶内容の一例を示す図。
【発明を実施するための形態】
【００１０】
以下、図面を参照して本発明による整合器を、空中線及び無線機からなる無線通信装置に適用する実施形態について説明する。
図１は、本発明の一実施形態に係る無線通信装置を示すブロック図である。図１に示す整合器２０は、無線機１０と複数のＨＦ(high frequency)アンテナＡ〜Ｎ間のインピーダンス整合を取るための整合器である。
【００１１】
無線機１０は、高周波の無線通信を行なうための送信機である。無線機１０の出力インピーダンスは公称５０Ωであるとする。ＨＦアンテナＡ〜Ｎは、それぞれ対応帯域が同じで形状が異なる高周波アンテナ（空中線）である。
無線機１０からの出力信号は、整合器２０を介してＨＦアンテナＡ〜Ｎのうち適切なアンテナに供給される。当該アンテナに供給された出力信号は、無線電波として空中へ出射される。また、無線機１０は送信機能に限らず受信機能を有していてもよい。無線機１０が受信機能を有する場合、いずれかのＨＦアンテナで検出された無線電波が、整合器２０を介して無線機１０に出力される。
【００１２】
ＨＦアンテナＡ〜Ｎは、対応する周波数範囲が広帯域であり、周波数によってアンテナインピーダンスが０．１Ω〜１０ｋΩと大幅に異なる。このため整合器２０によってインピーダンスマッチングを行なう必要がある。
整合器２０は、無線機１０とＨＦアンテナＡ〜Ｎの間に設けられ、誤差検出回路２１、整合回路２２、前置整合回路２３、及び制御部２４を備えている。無線機１０から送信される送信電力は、誤差検出回路２１、整合回路２２、及び前置整合回路２３を順次通過して、適切なＨＦアンテナに供給される。
【００１３】
誤差検出回路２１は、無線機１０の出力インピーダンスと、いずれかのＨＦアンテナのアンテナインピーダンスとの間の誤差信号を検出し、誤差信号の抵抗成分（Ｒ）と位相成分（φ）を抽出する。ここで、誤差信号は、誤差検出回路２１に入力する信号のインピーダンス電圧と、５０Ωの時の電圧との差を表す信号である。抽出された抵抗成分（Ｒ）と位相成分（φ）は、制御部２４に出力される。
【００１４】
整合回路２２及び前置整合回路２３は、制御部２４によってデジタル方式でリレー制御される整合回路である。整合回路２２及び前置整合回路２３の回路定数は、制御部２４からのリレー駆動信号により切替えられる。
本実施形態では、整合回路２２は理論上最も整合範囲が広いＬ型整合回路を具備しているものとする。図２及び図３は、Ｌ型整合回路の例を示す回路図である。整合回路２２は、図２に示すＬ型整合回路２２１及び図３に示すＬ型整合回路２２２の一方又は両方を備えているものとする。
【００１５】
図２に示すＬ型整合回路２２１は、信号ラインに直列に可変コンデンサＣ１を備え、信号ラインと接地の間に可変コイルＬ１を備えている。図３に示すＬ型整合回路２２２は、Ｌ型整合回路２２１とは入出力が逆になっている。Ｌ型整合回路２２２は、信号ラインと接地の間に可変コイルＬ２を、信号ラインに直列に可変コンデンサＣ２を備えている。
【００１６】
Ｌ型整合回路２２１を用いるだけでは、理論上インピーダンス整合が取れない範囲が存在する。整合回路２２が、Ｌ型整合回路２２１に加えて入出力を逆にしたＬ型整合回路２２２も備えることで、インピーダンス整合の範囲を補完することができる。整合回路２２において、Ｌ型整合回路２２１とＬ型整合回路２２２は、切り替え可能に直列又は並列に接続されていてもよい。
【００１７】
図２及び図３に示すＬ型整合回路のように理論上最も整合範囲が広い回路を採用した場合であっても、可変コンデンサＣ１，Ｃ２及び可変コイルＬ１，Ｌ２の可変範囲は有限である。図１に示すように、アンテナインピーダンスの範囲が０．１Ω〜１０ｋΩ程度と広いＨＦアンテナＡ〜Ｎが複数備えられていると、整合回路２２のみでは整合がとれないインピーダンス範囲が生じる。前置整合回路２３は、この整合が取れない範囲を補完するために設けられる。前置整合回路２３は、整合回路２２の可変コイル及び可変コンデンサの可変範囲内で、ＨＦアンテナＡ〜Ｎのアンテナインピーダンスと整合が取れるようにするための補助整合回路である。
【００１８】
図４は、前置整合回路２３に備えられる整合回路素子を図示した回路図の一例を示す。図４に示す回路（以下、並列整合回路２３１と称する）では、コイルＬ１１、コイルＬ１２、コンデンサＣ１３、Ｃ１４及びＣ１５が信号ラインと接地の間に並列に接続されている。コイルＬ１１、コイルＬ１２、コンデンサＣ１３、Ｃ１４及びＣ１５はそれぞれ、スイッチＳ１１、Ｓ１２、Ｓ１３、Ｓ１４、及びＳ１５を介して信号ラインに接続されている。コイルＬ１１とＬ１２の間に、これらのコイルと並列に１つ以上のコイル又はコンデンサが接続されていてもよい。また、同様にコンデンサＣ１４とＣ１５の間に、これらのコンデンサと並列に１つ以上のコイル又はコンデンサが接続されていてもよい。
【００１９】
図５は、前置整合回路２３に備えられる整合回路素子を図示した回路図の他の一例を示す。図５に示す回路（以下、直列整合回路２３２と称する）では、コイルＬ２１、コイルＬ２２、コンデンサＣ２３及びＣ２４が信号ラインと直列に接続されている。また、コイルＬ２１、コイルＬ２２、コンデンサＣ２３及びＣ２４それぞれに並列に、スイッチＳ２１、Ｓ２２、Ｓ２３及びＳ２４が接続されている。コイルＬ２１とＬ２２の間に、これらのコイルと直列に１つ以上のコイル又はコンデンサが接続されていてもよい。また、同様にコンデンサＣ２３とＣ２４の間に、これらのコンデンサと直列に１つ以上のコイル又はコンデンサが接続されていてもよい。
【００２０】
制御部２４は、図示しないマイクロプロセッサ（ＭＰＵ）、プログラムメモリ、及びワークメモリを備え、整合器２０の動作全体を制御する。制御部２４は、誤差信号の抵抗成分（Ｒ）と位相成分（φ）がゼロとなるように、整合回路２２及び前置整合回路２３へ供給されるリレー駆動信号を制御する。整合回路２２では、リレー駆動信号に応じて可変コイルＬ１と可変コイルＬ２のインダクタンス、及び可変コンデンサＣ１と可変コンデンサＣ２のキャパシタンスが変更される。また、前置整合回路２３では、リレー駆動信号に応じて各スイッチが切り替えられる。
【００２１】
制御部２４は、記憶部２５、アンテナ検出部２８、周波数検出部２９、整合処理部３０、及びテーブル書き換え部３１を備えている。
記憶部２５は、例えばフラッシュメモリ等の記憶装置からなり、アンテナ情報記憶部２６及び順番テーブル２７を所定の記憶領域に格納している。アンテナ情報記憶部２６は、整合器２０に接続されるＨＦアンテナＡ〜Ｎのインピーダンス特性の情報を予め記憶している。順番テーブル２７は、前置整合回路２３における回路定数の設定順序を記憶している。前置整合回路２３の回路特性は、このプリセットテーブル２７に記憶された順序に従って、上述の各スイッチが切り替えられることで順次設定される。
【００２２】
前置整合回路２３の回路定数は、周波数及び接続されているＨＦアンテナによって最適な値が異なる。このため、整合器２０に接続されているＨＦアンテナ及び電波信号の周波数に応じて、前置整合回路２３の回路定数を、後述の整合動作によって設定する必要がある。
【００２３】
以下では、ＨＦアンテナＡについて、周波数Ｆ１に適合する回路定数の設定をａ１、周波数Ｆ２に適合する回路定数の設定をａ２、…と表す。またＨＦアンテナＢについて、周波数Ｆ１に適合する回路定数の設定をｂ１、周波数Ｆ２に適合する回路定数の設定をｂ２、…と表す。以下同様に、ＨＦアンテナＮについて、周波数Ｆ１に適合する回路定数の設定をｎ１、周波数Ｆ２に適合する回路定数の設定をｎ２、…と表す。順番テーブル２７には、これらの回路定数の組合せ（ａ１，ａ２，…）が前置整合回路２３において設定される順序が、周波数毎に格納されている（図８及び図９参照）。
【００２４】
例えばＨＦアンテナが１種類のみ備えられている場合は、順番テーブル２７には、周波数毎に適合する回路定数の組合せを１組ずつ設定しておけばよい。しかしながら、インピーダンス特性が異なるＨＦアンテナが複数備えられており、整合器２０に電気的に接続されるＨＦアンテナの種類を選択するアンテナ選択信号が無い場合には、順番テーブル２７において下位の順番に相当するＨＦアンテナが接続されている場合に、整合時間が長くなってしまう。このため、本実施形態による整合器２０においては、順番テーブル２７に格納される設定順序を後述するテーブル書き換え部３１によって書き換える。
【００２５】
またアンテナ検出部２８、周波数検出部２９、整合処理部３０及びテーブル書き換え部３１の動作は、ＭＰＵがプログラムメモリに記憶された所定のプログラムを実行することによって実現され得る。
アンテナ検出部２８は、後述する整合動作の開始前に、誤差検出回路２１において検出された誤差信号の抵抗成分（Ｒ）と位相成分（φ）から、現在接続されているＨＦアンテナのインピーダンス特性を判定する。アンテナ検出部２８は、判定されたインピーダンス特性と、アンテナ情報記憶部２６に記憶された各ＨＦアンテナの特定とを比較し、整合器２０に接続されているＨＦアンテナを検出する。
【００２６】
初めて整合動作を行う時には、複数のＨＦアンテナＡ〜Ｎのうちどのアンテナが整合器２０に電気的に接続されているかが不明である。このため、誤差信号の抵抗成分（Ｒ）と位相成分（φ）の大きさ及び極性によりアンテナのインピーダンス特性を測定し、アンテナ情報記憶部２６に格納されている各ＨＦアンテナの特性と比較し、整合器２０に接続されているＨＦアンテナを検出する。これによって、接続されたＨＦアンテナに最適となるよう整合回路２２及び前置整合回路２３を設定することができる。
【００２７】
周波数検出部２９は、無線信号の周波数を検出する。信号の周波数は、例えば誤差検出回路２１に入力された信号を周波数カウンタで検出する。或いは、人（ユーザ）や無線機１０が有する通信制御部（図示せず）等から外部入力される信号に基づいて検出されてもよい。
【００２８】
整合処理部３０は、整合器２０において実行される整合動作の制御を行なう。整合処理部３０は、誤差検出回路２１が検出する誤差信号の抵抗成分（Ｒ）と位相成分（φ）がゼロ（又は最小）になるよう、整合回路２２及び前置整合回路２３の回路定数をリレー制御する。誤差信号の抵抗成分（Ｒ）と位相成分（φ）がゼロになったら、整合処理部３０は、整合回路２２及び前置整合回路２３に供給されるリレー制御信号を固定する。また整合処理部３０は、整合の程度を確認するために、誤差検出回路２１の進行波電力（Ｐｆ）と反射波電力（Ｐｒ）を取り込み、ＶＳＷＲ（電圧定在波比）の値を検出する。
【００２９】
ＶＳＷＲは、進行波電力Ｐｆ、反射波電力Ｐｒ、及び平方根を表す記号ｓｑｒｔを用いて、［｛ｓｑｒｔ（Ｐｆ）＋ｓｑｒｔ（Ｐｒ）｝／｛ｓｑｒｔ（Ｐｆ）−ｓｑｒｔ（Ｐｒ）｝］で表される。理想的な整合が取られた場合に、ＶＳＷＲの値が１となる。整合処理部３０は、検出したＶＳＷＲの値が予め設定した値以下であれば、インピーダンス整合を完了する。
【００３０】
テーブル書き換え部３１は、整合処理部３０による整合処理結果に基づいて、順番テーブル２７に格納された回路定数の設定順序を変更する。テーブル書き換え部３１は、整合動作の結果、整合が取れたと判断された回路定数の組合せが１番目となるように、順番テーブル２７に記憶される回路定数の設定順序を書き換える。
【００３１】
続いて、以上のように構成された整合器２０において行なわれる整合動作について説明する。
図６は、制御部２４の制御の下で行なわれるインピーダンス整合処理を示すフローチャートである。
まず、アンテナ検出部２８が、整合器２０に接続されているＨＦアンテナを検出する（ステップＳ６１）。このステップＳ６１は、整合器２０において初めて整合動作を行う場合に実行される。アンテナ検出部２８は、誤差検出回路２１において検出された誤差信号の抵抗成分（Ｒ）と位相成分（φ）から、現在接続されているＨＦアンテナのインピーダンス特性を検出し、アンテナ情報記憶部２６に記憶された各ＨＦアンテナの特性と比較する。比較結果から、整合器２０に電気的に接続されているＨＦアンテナが検出される。
【００３２】
次に、周波数検出部２９が、無線信号の周波数を検出する（ステップＳ６２）。信号の周波数は、例えば誤差検出回路２１に入力された信号を周波数カウンタによって検出したり、外部入力される信号に基づいて検出される。
整合処理部３０は、整合回路２２及び前置整合回路２３にリレー駆動信号を供給して整合動作を行なう（ステップＳ６３）。整合動作の詳細は図７に示される。
【００３３】
整合処理部３０は、誤差検出回路２１が検出する誤差信号の抵抗成分（Ｒ）と位相成分（φ）がゼロとなるように、整合回路２２及び前置整合回路２３の回路定数を制御する（ステップＳ７２）。すなわち、整合処理部３０は、検出された周波数に（更に初回の整合時には検出されたアンテナにも）応じて、順番テーブル２７において１番目に設定されている回路定数の組合せが前置整合回路２３で設定されるように、整合回路２２及び前置整合回路２３にリレー駆動信号を供給する。
【００３４】
そして、整合処理部３０は、誤差検出回路２１によって検出される誤差信号の抵抗成分（Ｒ）と位相成分（φ）がゼロになったか否かを判定する（ステップＳ７３）。誤差信号の抵抗成分（Ｒ）と位相成分（φ）がゼロではない場合（ステップＳ７３でＮｏ）、整合処理部３０は、順番テーブル２７に記憶された順序に従って、回路定数の次の組合せを前置整合回路２３に設定する（ステップＳ７２）。
【００３５】
一方、誤差信号の抵抗成分（Ｒ）と位相成分（φ）がゼロとなった場合（ステップＳ７３でＹｅｓ）、整合処理部３０は、整合回路２２及び前置整合回路２３に供給されるリレー制御信号を固定する（ステップＳ７４）。
続いて整合処理部３０は、誤差検出回路２１の進行波電力（Ｐｆ）と反射波電力（Ｐｒ）を取り込む（ステップＳ７５）。整合処理部３０は、進行波電力（Ｐｆ）と反射波電力（Ｐｒ）からＶＳＷＲ（電圧定在波比）の値を算出し、算出したＶＳＷＲの値が所定の閾値より小さいか否かを判定する（ステップＳ７６）。
【００３６】
算出されたＶＳＷＲの値が処理の閾値以上であれば（ステップＳ７６でＮｏ）、ステップＳ７２の処理に戻り、順番テーブル２７に記憶された順序に従って前置整合回路２３の回路定数を設定し、誤差信号の抵抗成分（Ｒ）と位相成分（φ）がゼロとなるよう以降の処理を繰り返す。
【００３７】
一方、算出されたＶＳＷＲの値が処理の閾値より小さければ（ステップＳ７６でＹｅｓ）、インピーダンス整合を完了する。
整合動作が完了したら図６の処理に戻り、テーブル書き換え部３１は、整合処理部３０による整合処理結果に基づいて、順番テーブル２７に格納された回路定数の設定順序を変更する（ステップＳ６４）。テーブル書き換え部３１は、整合が取られた回路定数の組合せを、全ての周波数について、順番テーブル２７で１番目の順序となるようにする。すなわち、整合がとれた回路定数の組合せを常に順番テーブル２７の１番目とすることで、整合時間を短縮する。
【００３８】
図８及び図９は、順番テーブル２７の書き換えの一例を示す図である。図８は、書き換え前の順番テーブル２７の記憶内容の一例を示す。図８に示す例ではでは、各周波数（Ｆ１，Ｆ２，…，Ｆｎ）について、ＨＦアンテナＡに対応する回路定数の組合せ（ａ１，ａ２，…，ａｎ）が１番目に、ＨＦアンテナＢに対応する回路定数の組合せ（ｂ１，ｂ２，…，ｂｎ）が２番目に、ＨＦアンテナＣに対応する回路定数の組合せ（ｃ１，ｃ２，…，ｃｎ）が３番目に格納されている。
【００３９】
図８に示す状態において、ある周波数（例えば周波数Ｆ４）について上述の整合動作が行なわれ、回路定数の組合せｃ４（周波数Ｆ４及びＨＦアンテナＣに対応）が前置整合回路２３に設定されている状態で整合が取れたと判定された場合、テーブル書き換え部３１は、全周波数について、ＨＦアンテナＣに対応する回路定数の組合せ（ｃ１，ｃ２，…，ｃｎ）が１番目になるように順番テーブル２７を書き換える。
【００４０】
また、図７において順番テーブル２７の１番目に格納されていたＨＦアンテナＡに対応する回路定数の組合せ（ａ１，ａ２，…，ａｎ）は、ＨＦアンテナＣに対応する回路定数の組合せ（ｃ１，ｃ２，…，ｃｎ）に代わって、順番テーブ２７ルの３番目に格納される。図９は、書き換え後の順番テーブル２７の記憶内容を表す。
【００４１】
このように、順番テーブル２７の内容を書き換えることで、次回の整合動作時に、整合が取れる回路定数を迅速に設定することができるようになる。
以上のように、上述の整合器２０によれば、複数のＨＦアンテナを備えていても、最初に整合動作を行なう際に、電気的に接続されているＨＦアンテナを検出する（ステップＳ６１）ので、整合に要する時間を短縮することができる。
【００４２】
また、整合器２０は、前置整合回路２３の回路定数の設定順序を周波数毎に格納した順番テーブル２７を備えているため、前置整合回路２３の設定をアンテナ及び周波数毎に最適に行うことができる。特に、使用するＨＦアンテナの切り換えを制御部２４に伝達する切り替え信号が与えられないような場合であっても、迅速に最適な整合回路を設定することが可能となる。
【００４３】
また、順番テーブル２７は、整合動作の都度、テーブル書き換え部３１によって適切な順番に書き換えられるので、整合に要する時間を更に短縮することができる。順番テーブル２７は、前回の整合動作時に整合が取れた回路定数が１番目になるように設定されているので、整合が取れる順に整合回路を迅速に設定することができる。
【００４４】
なお、上述の実施形態では、初回の整合時に電気的に接続されているＨＦアンテナを検出すること（ステップＳ６１）としたが、このアンテナの検出を整合動作の都度行なうことができれば、ステップＳ６１の処理は整合動作の都度、実行されてもよい。また、初回の整合時であっても、ステップＳ６１の動作は行われなくてもよい。
【００４５】
上述の実施形態では、整合器２０が無線機と空中線からなる無線通信装置において用いられる例について説明した。しかしながら、整合器２０は無線通信装置に限らず、インピーダンス整合を必要とする種々の伝送回路においても適用され得る。１以上の送信部（上述の実施形態では無線機１０）から複数の受信部（上述の実施形態ではＨＦアンテナＡ〜Ｎ）へ信号を伝送する伝送路において、送信部の出力インピーダンスと受信部の入力インピーダンスを、整合器２０によって整合することができる。また、上述の無線機１０の出力インピーダンスは公称５０Ωであるとしたが、無線機の出力インピーダンスはこれに限定されない。
【００４６】
上述の実施形態において、テーブル書き換え部３１は、整合が取れた回路定数の設定の順番を１番目とし、それまで１番目に設定されていた回路定数の設定と順番を入れ換えた。しかしながら、本発明はこれに限定されない。整合が取れた回路定数の設定の順番を１番目としたら、以降の回路定数の設定の順序を１つずつ後ろにずらすようにしてもよい。
【００４７】
また、上述の実施形態では、前置整合回路２３の設定順序を順番テーブル２７に記憶するとしたが、同様に整合回路２２の可変コイルのインダクタンス及び可変コンデンサのキャパシタンスの設定も順番テーブルに記憶されてもよい。この場合、整合動作の際に、整合回路２２の回路定数も順番テーブル２７に従って変化される。
【００４８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００４９】
１０…無線機、２０…空中線整合器、２１…誤差検出回路、２２…整合回路、２３…前置整合回路、２４…制御部、２５…記憶部、２６…アンテナ情報記憶部、２７…順番テーブル、２８…アンテナ検出部、２９…周波数検出部、３０…整合処理部、３１テーブル書き換え部。
【図１】
2011130372.tif 000003
【図２】
2011130372.tif 000004
【図３】
2011130372.tif 000005
【図４】
2011130372.tif 000006
【図５】
2011130372.tif 000007
【図６】
2011130372.tif 000008
【図７】
2011130372.tif 000009
【図８】
2011130372.tif 000010
【図９】
2011130372.tif 000011